(57)【要約】【課題】連動元の警報器が警報を行っている場合には、他の警報器に対して警報の停止操作が行われた場合でも、当該連動元の警報器が警報を行っていることを把握でき、当該連動元の警報器の異常に対して早急な対応を採ることが可能となる、警報システム及び警報器を提供すること。【解決手段】監視領域における異常を検知して警報を行う複数の住警器１０を、相互に連動警報させる警報システム１であって、複数の住警器１０の少なくとも一つの住警器１０が異常を検知して発報することにより当該複数の住警器１０において警報を行っている場合において、当該発報した住警器１０における異常の検知状態が継続している場合には、当該発報した住警器１０以外の住警器１０に対して警報停止スイッチ５１の警報停止操作が行われた場合においても、少なくとも、当該警報停止操作が行われた住警器１０以外の住警器１０であって自らは異常を検知していない住警器１０における警報を継続する。【選択図】図１
2011059894.tif 000002
【特許請求の範囲】
【請求項１】
監視領域における異常を検知して警報を行う複数の警報器を、相互に連動警報させる警報システムであって、
前記複数の警報器の少なくとも一つの警報器が前記異常を検知して発報することにより当該複数の警報器において警報を行っている場合において、当該発報した警報器における前記異常の検知状態が継続している場合には、当該発報した警報器以外の警報器に対して警報停止操作が行われた場合においても、少なくとも、当該警報停止操作が行われた警報器以外の警報器であって自らは異常を検知していない警報器における警報を継続する、
警報システム。
【請求項２】
監視領域における異常を検知して警報を行う複数の警報器を、相互に連動警報させる警報システムであって、
前記複数の警報器の少なくとも一つの警報器が前記異常を検知して発報することにより当該複数の警報器において警報を行っている場合において、当該発報した警報器における前記異常の検知状態が継続している場合には、当該発報した警報器以外の警報器に対して警報停止操作が行われた場合においても、かつ、当該発報した警報器が複数ある場合においてその一部のみが復旧した場合においても、少なくとも、当該警報停止操作が行われた警報器以外の警報器であって自らは異常を検知していない警報器における警報を継続する、
警報システム。
【請求項３】
監視領域の異常を検出した場合に警報を行うと共に他の警報器に警報信号を送信し、他の警報器から前記警報信号を受信した場合に警報を行う警報器であって、
警報停止操作を受け付ける警報停止操作受付手段と、
他の警報器から前記警報信号を受信することにより警報を行っている場合であって、当該警報器の前記警報停止操作受付手段によって前記警報停止操作が受け付けられていない場合には、警報を継続する、
警報器。
【請求項４】
監視領域の異常を検出した場合に警報を行うと共に他の警報器に警報信号を送信し、他の警報器から前記警報信号を受信した場合に警報を行う警報器であって、
当該警報器において前記異常を検知することにより警報を行った後、当該警報器を当該警報を行う前の状態へ復旧させることの可否を判定する復旧判定手段と、
警報停止操作を受け付ける警報停止操作受付手段と、
当該警報器と他の警報器との連動警報を制御する連動警報処理手段を備え、
前記連動警報処理手段は、
当該警報器において前記異常を検知することにより警報を行っている場合において、前記復旧判定手段にて復旧を行うものと判定された場合には、復旧信号を他の警報器に送信し、
前記警報停止操作受付手段にて前記警報停止操作が受け付けられた場合には、警報停止信号を他の警報器に送信し、
当該警報器において前記異常を検知していない場合であって他の警報器から前記警報信号を受信することにより警報を行っている場合において、当該警報信号を当該警報器に送信した他の警報器の一部のみから前記復旧信号又は前記警報停止信号を受信した場合には、当該警報器の警報を継続し、当該警報信号を当該警報器に送信した他の警報器の全部から前記復旧信号又は前記警報停止信号を受信した場合には、当該警報器の警報を停止する、
警報器。
【発明の詳細な説明】
【技術分野】
【０００１】
本発明は、監視領域で発生した異常を検出して警報を行うとともに、他の警報器から警報信号を受信して連動警報を行う警報システム及び警報器に関する。
【背景技術】
【０００２】
従来から、住宅における火災発生やガス漏れ等の異常を検出して警報する警報システム及び警報器が用いられている。例えば、特許文献１（ただし本願出願時において未公開）には、一つの建物の複数の場所毎に設置される警報器が開示されている。この警報器は、異なる場所に設置された他の警報器との間で無線にて通信可能であり、異常を検出した警報器が警報を行うと共に他の警報器に警報信号を送信すると、当該警報信号を受信した他の警報器が連動警報を行う（以下、自己の監視領域における異常を検出したことにより警報信号を送信する警報器を「連動元の警報器」、自己の監視領域における異常を検出していないが他の警報器からの警報信号を受信したことにより警報を行う警報器を「連動先の警報器」と称する）。
【０００３】
この警報器には、当該警報器の警報を停止するための警報停止スイッチが設けられている。これにより、連動関係にある複数の警報器から警報が行われている場合において、火災発生等を検出して警報を行っている連動元の警報器又は連動先の警報器の一部の警報停止スイッチが操作されると、当該警報停止スイッチが操作された警報器が警報を停止すると共に当該警報器から停止信号が送信され、この停止信号を受けた他の連動先の警報器が警報を停止し、まだ残っている連動元の警報器のみが警報を継続する。
【先行技術文献】
【特許文献】
【０００４】
【特許文献１】特願２００９−１０１６３０号明細書
【発明の概要】
【発明が解決しようとする課題】
【０００５】
しかしながら、上述の如き従来の警報器は、他の警報器との連動警報に関して改善の余地があった。例えば、複数の警報器が連動元として警報を行っていると共に、他の警報器が連動先として警報を行っている場合において、利用者によって一部の連動元の警報器の警報停止スイッチが操作されると、他に連動元の警報器が残っている場合であっても、全部の連動先の警報器の警報が停止されてしまうので、連動先の警報器付近に居る他の利用者は、まだ残っている連動元の警報器からの警報に気付かず、当該連動元の警報器で検出された異常に対して早急な対応を採ることができない可能性があった。
【０００６】
本発明は、上記に鑑みてなされたものであって、連動元の警報器が警報を行っている場合には、他の警報器に対して警報の停止操作が行われた場合でも、当該連動元の警報器が警報を行っていることを把握でき、当該連動元の警報器の異常に対して早急な対応を採ることが可能となる、警報システム及び警報器を提供することを目的とする。
【課題を解決するための手段】
【０００７】
上述した課題を解決し、目的を達成するために、請求項１に記載の警報システムは、監視領域における異常を検知して警報を行う複数の警報器を、相互に連動警報させる警報システムであって、前記複数の警報器の少なくとも一つの警報器が前記異常を検知して発報することにより当該複数の警報器において警報を行っている場合において、当該発報した警報器における前記異常の検知状態が継続している場合には、当該発報した警報器以外の警報器に対して警報停止操作が行われた場合においても、少なくとも、当該警報停止操作が行われた警報器以外の警報器であって自らは異常を検知していない警報器における警報を継続する。
【０００８】
また、請求項２に記載の警報システムは、監視領域における異常を検知して警報を行う複数の警報器を、相互に連動警報させる警報システムであって、前記複数の警報器の少なくとも一つの警報器が前記異常を検知して発報することにより当該複数の警報器において警報を行っている場合において、当該発報した警報器における前記異常の検知状態が継続している場合には、当該発報した警報器以外の警報器に対して警報停止操作が行われた場合においても、かつ、当該発報した警報器が複数ある場合においてその一部のみが復旧した場合においても、少なくとも、当該警報停止操作が行われた警報器以外の警報器であって自らは異常を検知していない警報器における警報を継続する。
【０００９】
また、請求項３に記載の警報器は、監視領域の異常を検出した場合に警報を行うと共に他の警報器に警報信号を送信し、他の警報器から前記警報信号を受信した場合に警報を行う警報器であって、警報停止操作を受け付ける警報停止操作受付手段と、他の警報器から前記警報信号を受信することにより警報を行っている場合であって、当該警報器の前記警報停止操作受付手段によって前記警報停止操作が受け付けられていない場合には、警報を継続する。
【００１０】
また、請求項４に記載の警報器は、監視領域の異常を検出した場合に警報を行うと共に他の警報器に警報信号を送信し、他の警報器から前記警報信号を受信した場合に警報を行う警報器であって、当該警報器において前記異常を検知することにより警報を行った後、当該警報器を当該警報を行う前の状態へ復旧させることの可否を判定する復旧判定手段と、警報停止操作を受け付ける警報停止操作受付手段と、当該警報器と他の警報器との連動警報を制御する連動警報処理手段を備え、前記連動警報処理手段は、当該警報器において前記異常を検知することにより警報を行っている場合において、前記復旧判定手段にて復旧を行うものと判定された場合には、復旧信号を他の警報器に送信し、前記警報停止操作受付手段にて前記警報停止操作が受け付けられた場合には、警報停止信号を他の警報器に送信し、当該警報器において前記異常を検知していない場合であって他の警報器から前記警報信号を受信することにより警報を行っている場合において、当該警報信号を当該警報器に送信した他の警報器の一部のみから前記復旧信号又は前記警報停止信号を受信した場合には、当該警報器の警報を継続し、当該警報信号を当該警報器に送信した他の警報器の全部から前記復旧信号又は前記警報停止信号を受信した場合には、当該警報器の警報を停止する。
【発明の効果】
【００１１】
請求項１に記載の警報システムによれば、複数の警報器において警報を行っている場合において、発報した警報器における異常の検知状態が継続している場合には、当該発報した警報器以外の警報器に対して警報停止操作が行われた場合においても、少なくとも、警報停止操作が行われた警報器以外の警報器であって自らは異常を検知していない警報器における警報を継続するので、警報停止操作が行われた警報器以外の警報器付近に居る利用者は、発報した警報器における異常の検知状態が継続していることを把握することができ、発報した警報器付近の異常に対して早急な対応を採ることができる。
【００１２】
また、請求項２に記載の警報システムによれば、複数の警報器において警報を行っている場合において、発報した警報器における異常の検知状態が継続している場合には、当該発報した警報器以外の警報器に対して警報停止操作が行われた場合においても、かつ、当該発報した警報器が複数ある場合においてその一部のみが復旧した場合においても、少なくとも、当該警報停止操作が行われた警報器以外の警報器であって自らは異常を検知していない警報器における警報を継続するので、警報停止操作が行われず、かつ、復旧していない警報器付近に居る利用者は、発報した警報器における異常の検知状態が継続していることを把握することができ、発報した警報器付近の異常に対して早急な対応を採ることができる。
【００１３】
また、請求項３に記載の警報器によれば、他の警報器から警報信号を受信することにより警報を行っている場合であって、当該警報器の警報停止操作受付手段によって警報停止操作が受け付けられていない場合には、警報を継続するので、警報停止操作受付手段による警報停止操作が受け付けられるまでは、当該警報器付近に居る利用者は、発報した警報器における異常の検知状態が継続していることを把握することができ、発報した警報器付近の異常に対して早急な対応を採ることができる。
【００１４】
また、請求項４に記載の警報器によれば、連動警報処理手段が、当該警報器において異常を検知することにより警報を行っている場合において、復旧判定手段にて復旧を行うものと判定された場合には、復旧信号を他の警報器に送信し、警報停止操作受付手段にて警報停止操作が受け付けられた場合には、警報停止信号を他の警報器に送信するので、当該警報器以外の警報器付近に居る利用者は、当該警報器における異常を検知していないことを把握することができ、当該警報器付近の安全性を確保することができる。また、連動警報処理手段が、当該警報器において異常を検知していない場合であって他の警報器から警報信号を受信することにより警報を行っている場合において、当該警報信号を当該警報器に送信した他の警報器の一部のみから復旧信号又は警報停止信号を受信した場合には、当該警報器の警報を継続するので、当該警報信号を当該警報器に送信した他の警報器の一部のみから復旧信号又は警報停止信号を受信した後も、当該警報器付近に居る利用者は、当該他の警報器の一部以外の警報器における異常の検知状態が継続していることを把握することができ、当該他の警報器の一部以外の警報器付近の異常に対して早急な対応を採ることができる。また、連動警報処理手段が、当該警報信号を当該警報器に送信した他の警報器の全部から復旧信号又は警報停止信号を受信した場合には、当該警報器の警報を停止するので、当該警報器付近に居る利用者は、すべての警報器が異常を検知していないことを把握することができ、高い安全性を確保することができる。
【図面の簡単な説明】
【００１５】
【図１】警報システムの全体構成を示すシステム構成図である。
【図２】住警器の外観を示す概要図であり、（ａ）は正面図を示し、（ｂ）は側面図を示す。
【図３】住警器の電気的構成を概念的に示すブロック図である。
【図４】複数の住警器が実行する連動警報処理の流れを示したフローチャートである。
【図５】各住警器の火災監視処理を示したフローチャートである。
【発明を実施するための形態】
【００１６】
以下に添付図面を参照して、この発明に係る警報器及び警報システムの実施の形態を詳細に説明する。まず、本実施の形態の構成について説明した後、本実施の形態の処理について説明し、最後に、本実施の形態に対する変形例について説明する。ただし、本実施の形態によって本発明が限定されるものではない。なお、本実施の形態に係る警報器及び警報システムの設置対象や適用対象は任意であるが、以下では、住宅に設置され無線信号によって通信を行なう無線式住宅用の警報器（以下では「住警器」という）に適用した場合を例として説明を行う。
【００１７】
（警報システムの構成）
まず、警報システムの概要を説明する。図１は、警報システム１の全体構成を示すシステム構成図である。図１に示すように、本実施の形態においては、住宅２の各部屋（図では、寝室、居間、及び台所）には住警器１０Ａ〜１０Ｂ（これら住警器１０Ａ〜１０Ｂは、相互に区別する必要がない場合には「住警器１０」と総称する）が設置されている。この住警器１０は、監視領域で発生した異常を検出し、警報信号の送受信や警報を行うものである。いずれかの部屋において発生した火災等を、その部屋の住警器１０が検出すると、当該住警器１０は、警報を行うと共に、警報信号を他の部屋の住警器１０に対して無線送信する。この警報信号を受信した他の部屋の住警器１０は、連動警報を行う。これにより、火災発生等していない部屋の住警器１０にも警報を行わせ、利用者に対応を促すことができる。
【００１８】
（住警器の構成）
次に、住警器１０の構成について説明する。図２は、住警器１０の外観を示す概要図であり、図２（ａ）は正面図を示し、図２（ｂ）は側面図を示す。
【００１９】
これら図２（ａ）及び図２（ｂ）に示すように、住警器１０は、基本構造体となる住警器本体１１を有している。この住警器本体１１の材質は任意であり、例えば樹脂から形成される。また、この住警器本体１１には、カバー１２、警報停止スイッチ５１、及び取付フック１３が設けられている。
【００２０】
カバー１２は、住警器１０の内部を保護するものであり、住警器本体１１の正面に設けられている。このカバー１２には、火災発生等の異常を検知するための検知空間１２ａ、及び住警器１０に内蔵された後述するスピーカ４１から出力された警報音や音声メッセージを外部に放出するための音響穴１２ｂが設けられている。
【００２１】
警報停止スイッチ５１は、住警器１０の警報を停止するためのものであり、カバー１２の下側に外部に露出した状態で設けられている。この警報停止スイッチ５１の内部には、ＬＥＤ４２が設けられている。このＬＥＤ４２は、点灯や点滅等により、監視領域で発生した異常を表示するものである。このＬＥＤ４２の点灯時には、警報停止スイッチ５１がＬＥＤ４２の光を透過することで、ＬＥＤ４２の点灯状態が外部から視認可能となる。
【００２２】
取付フック１３は、住警器１０を住宅２の壁面等に取り付けるためのものであり、住警器本体１１の裏側上部に設けられている。この取付フック１３が住宅２の壁面等に取り付けた図示しないビスに取付けられることで、住警器１０が壁面等に固定される。
【００２３】
（住警器の電気的構成）
次に、住警器１０の電気的構成について説明する。図３は、住警器１０の電気的構成を概念的に示すブロック図である。住警器１０は、センサ部２０、無線回路部３０、報知部４０、操作部５０、電池電源６０、制御部７０、及び記憶部８０を備えて構成されている。
【００２４】
（住警器の構成−センサ部）
センサ部２０は、当該住警器１０が設置されている監視領域において、火災等の検出対象を検出するための検出手段である。検出対象及び当該検出対象の検出原理は任意であり、例えば、火災に伴って発生する煙や熱を検出対象とし、これらを検出するために、赤外線ＬＥＤやフォトダイオード、サーミスタ等の電子素子を用いることができる。
【００２５】
ここでは、センサ部２０は、煙を検知して火災を検出するものとして構成されており、このために検煙部２１を備えて構成されている。この検煙部２１は、煙を検出するための検煙手段であり、煙濃度が所定レベルを超えた場合には、火災が発生したことを示す火災検出信号の出力を行い、火災検出信号を出力した後に煙濃度が所定レベルを下回った場合には、この火災検出信号の出力を停止する。
【００２６】
無線回路部３０は、当該住警器１０と他の住警器１０との相互間で無線通信を行うものであり、送信部３１、受信部３２、及びアンテナ３３を備えて構成されている。送信部３１は、他の住警器１０に対して警報信号をアンテナ３３を介して送信する送信手段である。受信部３２は、他の住警器１０の送信部３１から送信された信号をアンテナ３３を介して受信する受信手段である。
【００２７】
報知部４０は、当該住警器１０から各種の情報の出力を行う報知手段であり、例えば、後述する連動元警報や連動先警報を音声出力するためのスピーカ４１や、監視領域で発生した異常を表示するＬＥＤ４２等が該当する。また、報知部４０の注意喚起方法は任意であり、例えば、後述する連動元警報や連動先警報に応じて音声の種類や音量等を変えてもよい。
【００２８】
操作部５０は、当該住警器１０に対する各種の操作を受け付ける操作手段であり、上述した警報停止スイッチ５１を備えて構成されている。この警報停止スイッチ５１は、当該住警器１０の警報停止操作を受け付けるための警報停止操作受付手段である。
【００２９】
電池電源６０は、当該住警器１０に電力を供給する電力供給手段である。この電池電源６０の具体的種類は任意であるが、例えば、アルカリ乾電池やリチウム電池等が用いられる。
【００３０】
制御部７０は、当該住警器１０における各種の制御を行う制御手段である。この制御部７０の具体的構成は任意であるが、例えば、記憶部８０に記憶されたプログラムを呼出して解析実行するＣＰＵ（Ｃｅｎｔｒａｌ  Ｐｒｏｃｅｓｓｉｎｇ  Ｕｎｉｔ）として構成することができる。
【００３１】
制御部７０は、連動警報処理部７１、復旧判定部７２、及び警報停止処理部７３を備えている。連動警報処理部７１は、当該住警器１０と他の住警器１０との連動警報を制御する連動警報処理手段であり、連動元警報処理部７１ａ及び連動先警報処理部７１ｂを備えて構成されている。連動元警報処理部７１ａは、センサ部２０によって異常が検出された場合に、スピーカ４１によって連動元を示す警報（以下、連動元警報）を出力させると共に、送信部３１によって火災発報等を示す警報信号を他の住警器１０に送信させる連動元警報処理手段である。連動先警報処理部７１ｂは、受信部３２が他の住警器１０から警報信号を受信したときに、スピーカ４１によって連動先を示す警報（以下、連動先警報）を出力させる連動先警報処理手段である。
【００３２】
復旧判定部７２は、当該住警器１０において異常を検出することにより連動元警報を行った後、当該住警器１０を通常監視状態へ復旧させることの可否を判定する復旧判定手段である。ここでは、当該住警器１０が異常を検出しなくなった場合には、復旧させるものと判定する。
【００３３】
警報停止処理部７３は、警報停止スイッチ５１の操作に基づいて、当該住警器１０の警報停止を行うか否かを判定する警報停止処理手段である。
【００３４】
記憶部８０は、制御部７０による制御に必要なプログラム及び各種のデータを記憶する記憶手段である。この記憶部８０の具体的な構成は任意であり、例えば、フラッシュメモリやＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）の如き不揮発性の記憶媒体を用いることができる。
【００３５】
記憶部８０にはメモリ８１が設けられている。このメモリ８１には、送信元符号８１ａが格納されると共に、状態記憶領域８１ｂが設けられている。送信元符号８１ａは、当該住警器１０を特定するＩＤ（識別子）であり、例えば、国内に提供される住警器１０の数を考慮して、同一符号として重複しないように２６ビットの符号コードが使用される。状態記憶領域８１ｂは、火災発報、連動元警報、他の住警器１０からの火災発報受信、連動先警報、警報停止といった各種の発生イベントを記憶する。これにより、当該住警器１０は、新たに発生したイベントに対する状態の遷移制御を可能にすることができる。状態記憶領域８１ｂの発生イベントを記憶する方法は任意であるが、例えば、発生イベントを順次記憶する方法と、前回の発生イベントに今回の発生イベントを上書きする方法等が該当する。
【００３６】
（住警器の処理動作について）
次に、住警器１０の処理動作について説明する。図１に示すように、住警器１０Ａは寝室に設置され、住警器１０Ｂは居間に設置され、住警器１０Ｃは台所に設置されており、最初に住警器１０Ａによって異常が検出され、次いで１０Ｃによって異常が検出された場合を例に挙げて説明する。図４は、複数の住警器１０Ａ、１０Ｂ、１０Ｃが実行する連動警報処理の流れを示したフローチャートである。なお、以下の説明では、「ステップ」を「Ｓ」と略記する。また、住警器１０Ａのステップを「ＳＡ」、住警器１０Ｂのステップを「ＳＢ」、及び住警器１０Ｃのステップを「ＳＣ」と略記する。また、住警器１０Ａ、１０Ｂ、１０Ｃの動作中に発生したイベントは、各制御部７０によって各記憶部８０の状態記憶領域８１ｂに記録されるものとする。
【００３７】
図４に示すように、住警器１０Ａのセンサ部２０が寝室の異常を検出すると（ＳＡ１）、住警器１０Ａの送信部３１から、住警器１０Ｂ、１０Ｃに対して警報信号が送信される（ＳＡ２）。この警報信号は、住警器１０Ａのセンサ部２０が異常を検出している間、継続して送信される（以下、後述するＳＣ４の警報信号も同様とする）。また、この警報信号には、記憶部８０のメモリ８１に格納されている送信元符号８１ａが含まれている。これにより、住警器１０Ｂ、１０Ｃが警報信号を受信した際に、当該警報信号の送信元が住警器１０Ａであることを特定することができる（以下、後述するＳＣ４の警報信号、ＳＡ６、ＳＣ１１の復旧信号、及び、ＳＡ１０の停止信号にも、送信元符号８１ａが含まれているものとする）。また、ＳＡ２の前後又はＳＡ２と同時に、住警器１０Ａにおいては、寝室に居る利用者に対して当該寝室の異常を知らせるために、スピーカ４１によって連動元警報が出力される（ＳＡ３）。この連動元警報の具体的な出力方法は任意であるが、例えば、住警器１０Ａにおいては、「ウーウー  寝室の住警器が作動しました  確認してください」のように、連動元の住警器１０Ａの設置位置を含んだ音声メッセージが繰返し出力される。
【００３８】
一方、住警器１０Ｂ、１０Ｃの受信部３２が住警器１０Ａからの警報信号を受信すると（ＳＢ１、ＳＣ１）、住警器１０Ｂ、１０Ｃにおいては、居間又は台所に居る利用者に対して寝室の異常を知らせるために、スピーカ４１によって連動先警報が出力される（ＳＢ２、ＳＣ２）。この住警器１０Ｂ、１０Ｃの受信部３２の動作方法は任意であるが、電池電源６０の電力消費量を抑えるために、例えば、所定の間隔で間欠的に動作させることが好ましい（以下、住警器１０Ａの受信部３２も、住警器１０Ｂ、１０Ｃの受信部３２と同様に動作するものとする）。また、この連動先警報の具体的な出力方法は任意であるが、例えば、住警器１０Ｂ、１０Ｃにおいては、「ウーウー  寝室の住警器が作動しました  確認してください」のように、連動元の住警器１０Ａの設置位置を含んだ音声メッセージが繰返し出力される。なお、この際の連動元の住警器１０Ａの設置位置の特定は、各住警器１０の設置位置と送信元符号８１とを相互に関連付けて記憶部８０に予め格納しておき、必要に応じてこの情報を参照することで行うことができる。
【００３９】
次に、住警器１０Ｃのセンサ部２０が台所の異常を検出すると（ＳＣ３）、住警器１０Ｃの送信部３１から住警器１０Ａ、１０Ｂに対して警報信号が送信される（ＳＣ４）。それと共に、住警器１０Ｃにおいては、スピーカ４１によって連動元警報が出力される（ＳＣ５）。ここで、住警器１０Ｃにおいては、ＳＣ２の処理にて連動先警報が出力されているが、台所に居る利用者に対して当該台所の異常を知らせることを優先させるために、スピーカ４１によって連動元警報のみが出力される。従って、例えば、住警器１０Ｃにおいては、それまでの音声メッセージが、「ウーウー  台所の住警器が作動しました  確認してください」のように、連動元となった住警器１０Ｃの設置位置を含んだ音声メッセージに切り替えられて繰返し出力される。
【００４０】
一方、住警器１０Ａ、１０Ｂにおいては、受信部３２が住警器１０Ｃの警報信号を受信する（ＳＡ４、ＳＢ３）。ここで、住警器１０Ａにおいては、連動先警報が出力可能な状態となるが、ＳＡ３の処理以降、連動元警報が継続して出力されており、また寝室に居る利用者に対して当該寝室の異常を知らせることを優先させることが好ましいことから、スピーカ４１によって連動元警報が継続して出力される（ＳＡ５）。また、住警器１０Ｂにおいては、ＳＢ２の処理にて連動先警報が出力されているので、引き続いて連動先警報が出力される（ＳＢ４）。この連動先警報の具体的な出力方法は任意であるが、居間に居る利用者に対して寝室及び台所の異常を知らせるために、例えば、住警器１０Ｂにおいては、「ウーウー  寝室の住警器が作動しました  確認してください」、及び「ウーウー  台所の住警器が作動しました  確認してください」のように、連動元である住警器１０Ａの設置位置を含んだ音声メッセージと、連動元である住警器１０Ｃの設置位置を含んだ音声メッセージとが、交互に繰返し出力される。
【００４１】
次いで、住警器１０Ａのセンサ部２０が寝室の異常を検出しなくなると（ＳＡ６）、当該住警器１０Ａにおいては、住警器１０Ｂ、１０Ｃに対して連動先警報を停止させるために、送信部３１によって復旧信号が送信されると共に（ＳＡ７）、連動元警報が停止される。ただし、ＳＡ４の処理以降、住警器１０Ａにおいては、受信部３２が住警器１０Ｃから警報信号を継続して受信しているので、スピーカ４１によって連動先警報が出力される（ＳＡ８）。例えば、住警器１０Ａにおいては、それまでの音声メッセージが、「ウーウー  台所の住警器が作動しました  確認してください」のように、連動元である住警器１０Ｃの設置位置を含んだ音声メッセージに切り替えられて繰返し出力される。
【００４２】
一方、住警器１０Ｂ、１０Ｃの受信部３２が復旧信号を受信するが（ＳＢ５、ＳＣ６）、住警器１０Ｂにおいては、ＳＢ３の処理以降、受信部３２が住警器１０Ｃから警報信号を継続して受信しているので、スピーカ４１によって連動先警報が継続して出力される（ＳＢ６）。また、住警器１０Ｃにおいては、ＳＣ５の処理と同様に、スピーカ４１によって連動元警報が継続して出力される（ＳＣ７）。
【００４３】
続いて、寝室の利用者が住警器１０Ａの警報停止スイッチ５１を操作すると（ＳＡ９）、当該住警器１０Ａにおいては、送信部３１から停止信号が送信されると共に（ＳＡ１０）、連動先警報が停止される（ＳＡ１１）。なお、ここでは、連動先警報を停止することとしているが、この時点では、連動元である住警器１０Ｃが未だ残っているので、このように連動元である住警器１０であって、警報停止スイッチ５１による警報停止操作を受けていない住警器１０が、一つでも残っている場合には、連動先警報を継続するようにしてもよい。
【００４４】
一方、住警器１０Ｂ、１０Ｃの受信部３２が住警器１０Ａからの停止信号を受信すると（ＳＢ７、ＳＣ８）、住警器１０Ｂにおいては、連動先警報を停止すると、居間に居る利用者に対して台所の異常を知らせることができなくなるので、スピーカ４１によって連動先警報が継続して出力される（ＳＢ８）。すなわち、住警器１０Ｂは、停止信号を受信した場合に、連動元である住警器１０であって、警報停止スイッチ５１による警報停止操作を受けていない住警器１０が、一つでも残っているか否かを判定し、残っている場合には、連動先警報を継続する。また、住警器１０Ｃにおいては、連動元警報を停止すると、台所に居る利用者に対して当該台所の異常を知らせることができなくなるので、スピーカ４１によって連動元警報が引き続き出力される（ＳＣ９）。
【００４５】
その後、住警器１０Ｃのセンサ部２０が台所の異常を検出しなくなると（ＳＣ１０）、当該住警器１０Ｃにおいては、住警器１０Ａ、１０Ｂに対して連動先警報を停止させるために、送信部３１によって復旧信号が送信されると共に（ＳＣ１１）、連動元警報が停止される（ＳＣ１２）。
【００４６】
一方、住警器１０Ａ、１０Ｂの受信部３２が復旧信号を受信すると（ＳＡ１２、ＳＢ９）、住警器１０Ａにおいては、ＳＡ１１の処理に引き続き、連動先警報が停止される（ＳＡ１３）。また、住警器１０Ｂにおいては、連動先警報が停止される（ＳＢ１０）。すなわち、住警器１０Ｂは、停止信号を受信した場合に、連動元である住警器１０であって、警報停止スイッチ５１による警報停止操作を受けていない住警器１０が、一つでも残っているか否かを判定し、残っていない場合には、連動先警報を停止する。これにて連動処理が終了する。
【００４７】
（火災監視処理）
次に、警報システム１に属する住警器１０のいずれかが火災等の異常を検出した場合における、住警器１０によって実行される火災監視処理について説明する。図５は、各住警器１０の火災監視処理を示したフローチャートである。以下の処理では、これら住警器１０の電源は常時ＯＮされており、記憶部８０によって記憶されたプログラムに従って、各処理を常に実行することが可能となっているものとし、特記する主体を除いて制御部７０によって処理が行われる。
【００４８】
まず、当該住警器１０が設置されている部屋で異常を検出したか否かを判別するために、制御部７０はセンサ部２０によって当該部屋の監視動作を実行させる（ＳＤ１）。以降の処理では、当該住警器１０が異常を検出した場合に行う連動元警報処理（主に連動元警報処理部７１ａによって行われるＳＤ２〜ＳＤ８の処理）と、他の住警器１０が異常を検出した場合に行う連動先警報処理（主に連動先警報処理部７１ｂによって行われるＳＤ９〜ＳＤ１５の処理）とに大別される。
【００４９】
ここで、当該部屋の煙濃度が所定レベルを超えたことで、センサ部２０の検煙部２１から火災検出信号が出力された場合には、当該住警器１０が異常を検出したと考えられるので（ＳＤ１、Ｙｅｓ）、連動元警報処理部７１ａは、他の住警器１０に対して連動先警報を出力させるために、送信部３１によって警報信号を送信させる（ＳＤ２）。それと共に、連動元警報処理部７１ａは、当該部屋に居る利用者に対して当該部屋の異常を知らせるために、スピーカ４１によって連動元警報を出力させる（ＳＤ３）。なお、検煙部２１が火災検出信号を出力している間、連動元警報処理部７１ａは、送信部３１によって所定時間毎に警報信号を繰返し送信させる。また、センサ部２０の検煙部２１が火災検出信号を出力している間、制御部７０は、警報停止スイッチ５１に設けられたＬＥＤ４２を点灯又は点滅させる（以下、後述するＳＤ１０の連動先警報の出力時にも、制御部７０はＬＥＤ４２を点灯等させてもよい）。
【００５０】
ＳＤ３の処理後、利用者による消火活動等により当該部屋で発生していた異常がなくなったり、あるいは利用者によって連動元警報が停止されることが考えられることから、次いで、復旧判定部７２又は警報停止処理部７３は、連動元警報を停止するか否かを判定する処理を行う。例えば、復旧判定部７２は、当該部屋の異常発生の有無に基づいて、当該住警器１０を通常監視状態に復旧させることの要否を判定する。また、警報停止処理部７３は、警報停止の指示の有無に基づいて、連動元警報を停止するか否かを判定する。
【００５１】
具体的には、復旧判定部７２は、センサ部２０の検煙部２１から出力される火災検出信号の有無に基づいて、当該住警器１０を復旧させることの要否を判定する（ＳＤ４）。ここで、センサ部２０の検煙部２１から火災検出信号が出力されなくなった場合には、当該住警器１０が異常を検出していないと考えられるので（ＳＤ４、Ｙｅｓ）、復旧判定部７２は、当該住警器１０を復旧させるべきと判定する。この判定を受けて、連動元警報処理部７１ａは、他の住警器１０に対して連動先警報を停止させるために、復旧信号を送信する（ＳＤ５）。それと共に、連動元警報処理部７１ａは、スピーカ４１から出力されている連動元警報を停止させることで（ＳＤ８）、ＳＤ１の直前に戻り、当該住警器１０を通常監視状態に復旧させる。
【００５２】
また、センサ部２０の検煙部２１から火災検出信号が出力されている場合には、当該住警器１０が異常を検出していると考えられるので（ＳＤ４、Ｎｏ）、復旧判定部７２は、当該住警器１０を復旧させるべきでないと判定する。この判定を受けて、警報停止処理部７３は、さらに警報停止スイッチ５１の警報停止操作の有無に基づいて、連動元警報を停止するか否かを判定する（ＳＤ６）。ここで、警報停止スイッチ５１の警報停止操作が行われなかったことにより、連動元警報が停止されなかった場合には（ＳＤ６、Ｎｏ）、連動元警報処理部７１ａは、スピーカ４１によって連動元警報を引き続き出力させて、ＳＤ１の直前に戻る。一方、警報停止スイッチ５１の警報停止操作が行われたことにより、連動元警報が停止されると判定された場合には（ＳＤ６、Ｙｅｓ）、連動元警報処理部７１ａは、他の住警器１０に対して連動先警報を停止させるために、停止信号を送信する（ＳＤ７）。それと共に、連動元警報処理部７１ａは、スピーカ４１から出力されている連動元警報を停止させて（ＳＤ８）、ＳＤ１の直前に戻る。
【００５３】
一方、ＳＤ１において、当該部屋の煙濃度が所定レベルを下回ったことで、センサ部２０の検煙部２１から火災検出信号が出力された場合には、当該住警器１０が異常を検出していないと考えられるので（ＳＤ１、Ｎｏ）、制御部７０は、他の住警器１０が異常を検出しているか否かを判別するために、受信部３２によって他の住警器１０から送信された警報信号が受信されたか否かを監視する（ＳＤ９）。
【００５４】
ここで、受信部３２によって他の住警器１０から警報信号が受信された場合には（ＳＤ９、Ｙｅｓ）、他の住警器１０が異常を検出していると考えられるので、連動先警報処理部７１ｂは、当該部屋に居る利用者に対して他の部屋で異常が発生していることを知らせるために、スピーカ４１によって連動先警報を出力させる（ＳＤ１０）。一方、受信部３２によって他の住警器１０から警報信号が受信されなかった場合には（ＳＤ９、Ｎｏ）、他の住警器１０が異常を検出していないと考えられるので、連動先警報処理部７１ｂは、連動先警報を出力せずに、ＳＤ１１に移行する。
【００５５】
ＳＤ１０の処理後、利用者による消火活動等により他の部屋で発生していた異常がなくなり、あるいは利用者によって他の住警器１０から出力されている連動先警報又は連動元警報が停止されることが考えられるので、復旧判定部７２又は警報停止処理部７３は、連動先警報を停止するか否かを判別する処理を行う。例えば、復旧判定部７２は、他の住警器１０から送信された復旧信号の受信の有無に基づいて、他の住警器１０が復旧したか否かを判定する。また、警報停止処理部７３は、他の住警器１０から送信された停止信号の受信の有無等に基づいて、他の住警器１０から出力されている連動先警報を停止するか否かを判定する。
【００５６】
具体的には、復旧判定部７２は、受信部３２が警報信号を送信している他の住警器１０の全部から復旧信号を受信しているか否かを判定する（ＳＤ１１）。ここで、受信部３２が警報信号を送信している他の住警器１０の全部から復旧信号を受信している場合には（ＳＤ１１、Ｙｅｓ）、他の住警器１０のいずれにおいても異常が検出されていないと考えられるので、連動先警報処理部７１ｂは、スピーカ４１から出力されている連動先警報を停止させる（ＳＤ１５）。なお、警報信号を送信している他の住警器１０の全部から復旧信号を受信しているか否かを判定する具体的な方法は任意であるが、例えば、復旧判定部７２が受信部３２によって受信した警報信号に含まれる送信元符号８１ａと、受信した復旧信号に含まれる送信元符号８１ａとを記憶部８０の状態記憶領域８１ｂに記憶させておいて必要に応じて照合し、これら送信元符号８１ａがすべて一致した場合に、警報信号を送信している他の住警器１０の全部から復旧信号を受信していると判定してもよい（以下、後述するＳＤ１２の処理にて、これと同様の方法で、警報停止処理部７３が警報信号を送信している他の住警器１０の全部から停止信号を受信しているか否かを判定する）。
【００５７】
また、受信部３２が警報信号を送信している他の住警器１０の全てから復旧信号を受信していない場合には（ＳＤ１１、Ｎｏ）、他の住警器１０の少なくとも一部が依然として異常を検出していると考えられるので、連動先警報処理部７１ｂは、スピーカ４１によって連動先警報を引き続き出力させる。その後、警報停止処理部７３は、受信部３２が警報信号を送信している他の住警器１０の全部から停止信号を受信しているか否かを判定する（ＳＤ１２）。ここで、受信部３２が警報信号を送信している他の住警器１０の全部から停止信号を受信している場合には（ＳＤ１２、Ｙｅｓ）、他の住警器１０が異常を検出しているか否かに関わらず、警報を停止させることが利用者の指示であると考えられるので、連動先警報処理部７１ｂは、スピーカ４１から出力されている連動先警報を停止させる（ＳＤ１５）。
【００５８】
また、受信部３２が警報信号を送信している他の住警器１０の全てから停止信号を受信していない場合には（ＳＤ１２、Ｎｏ）、他の住警器１０の少なくとも一部が依然として異常を検出しており、かつ、警報を停止させることが利用者の指示ではないと考えられるので、連動先警報処理部７１ｂは、スピーカ４１によって連動先警報を引き続き出力させる。その後、警報停止処理部７３は、当該住警器１０の警報停止スイッチ５１の警報停止操作の有無に基づいて、連動先警報を停止するか否かを判定する（ＳＤ１３）。ここで、警報停止スイッチ５１の警報停止操作が行われなかったと判定された場合には（ＳＤ１３、Ｎｏ）、連動先警報処理部７１ｂは、スピーカ４１によって連動先警報を引き続き出力させて、ＳＤ１の直前に戻る。一方、警報停止スイッチ５１の警報停止操作が行われたと判定された場合には（ＳＤ１３、Ｙｅｓ）、連動先警報処理部７１ｂは、他の住警器１０から出力されている連動先警報を停止させるために、停止信号を送信すると共に（ＳＤ１４）、スピーカ４１から出力されている連動先警報を停止させて（ＳＤ１５）、ＳＤ１に戻る。
【００５９】
（住警器１０Ａの連動元警報処理について）
次に、住警器１０Ａの連動元警報処理として、図４に示すＳＡ１〜ＳＡ７の処理と、図５に示すＳＤ１〜ＳＤ６、ＳＤ８の処理とを関連づけて説明する。
【００６０】
まず、住警器１０Ａが設置されている寝室で異常が発生したことが検知されると（ＳＡ１）（ＳＤ１、Ｙｅｓ）、連動元警報処理部７１ａは送信部３１に警報信号を送信させると共に（ＳＡ２、ＳＤ２）、スピーカ４１によって連動元警報を出力させる（ＳＡ３、ＳＤ３）。ここで、住警器１０Ｃから警報信号を受信した場合であっても（ＳＡ４）、住警器１０Ａの連動元警報処理部７１ａは、スピーカ４１によって連動元警報のみを引き続き出力させる（ＳＡ５）。
【００６１】
ここで、ＳＡ６の処理に至るまでは、制御部７０は、ＳＤ１〜ＳＤ４、ＳＤ６の処理を繰り返す。例えば、ＳＡ５の処理後、復旧判定部７２が異常検出の有無を判定し（ＳＤ４）、異常検出がある場合には（ＳＤ４、Ｎｏ）、警報停止処理部７３が警報停止スイッチ５１の警報停止操作の有無に基づいて連動元警報を停止するか否かを判定するが（ＳＤ６）、警報停止スイッチ５１の警報停止操作が行われない場合には、連動元警報が停止されないと判定され（ＳＤ６、Ｎｏ）、ＳＤ１に戻る。
【００６２】
その後、復旧判定部７２が異常検出の有無を判定し（ＳＤ４）、異常検出がない場合には（ＳＡ６）（ＳＤ４、Ｙｅｓ）、連動元警報処理部７１ａは、住警器１０Ｂ、１０Ｃに対して復旧信号を送信すると共に（ＳＡ７、ＳＤ５）、連動元警報を停止させて（ＳＤ８）、ＳＤ１に戻る。
【００６３】
（住警器１０Ｂの連動先警報処理について）
次に、住警器１０Ｂの連動先警報処理として、図４に示すＳＢ１〜ＳＢ１０の処理と、図５に示すＳＤ１、ＳＤ９〜ＳＤ１３、ＳＤ１５の処理とを関連づけて説明する。
【００６４】
まず、住警器１０Ｂが設置されている居間で異常が発生していないことが検知されると（ＳＤ１、Ｎｏ）、制御部７０は、住警器１０Ａ，１０Ｃからの警報信号が受信されたか否かを監視する（ＳＤ９）。ここで、住警器１０Ａから警報信号を受信すると（ＳＢ１）（ＳＤ９、Ｙｅｓ）、連動先警報処理部７１ｂは、スピーカ４１によって連動先警報を出力させる（ＳＢ２、ＳＤ１０）。また、その後に住警器１０Ｃから警報信号を受信すると（ＳＢ３）（ＳＤ９、Ｙｅｓ）、連動先警報処理部７１ｂは、連動先警報を継続して出力させる（ＳＢ４、ＳＤ１０）。
【００６５】
ＳＢ４の処理後、ＳＢ９の処理に至るまでは、制御部７０は、ＳＤ１、ＳＤ９〜ＳＤ１３の処理を繰り返す。例えば、ＳＢ４、ＳＤ１０の処理後、復旧判定部７２は、受信部３２が警報信号を送信している住警器１０Ｃのみから復旧信号を受信した場合には（ＳＢ５）、受信部３２が警報信号を送信している住警器１０Ａ、１０Ｃの全部から復旧信号を受信していないと判定し（ＳＤ１１、Ｎｏ）、住警器１０Ａのみから停止信号を受信した場合（ＳＢ７）には、受信部３２が警報信号を送信している住警器１０Ｃの全部から停止信号を受信していないと判定し（ＳＤ１２、Ｎｏ）、さらに、当該住警器１０Ｂにおける警報停止スイッチ５１の警報停止操作も行われていない場合には（ＳＤ１３、Ｎｏ）、連動先警報を継続して出力させる（ＳＢ６、ＳＢ８、ＳＤ１０）。
【００６６】
一方、ＳＢ９の処理にて、復旧判定部７２は、受信部３２が警報信号を送信している住警器１０Ｃから復旧信号を受信していると判定することで（ＳＢ９）（ＳＤ１１、Ｙｅｓ）、連動先警報処理部７１ｂは、スピーカ４１から出力されている連動先警報を停止させる（ＳＢ１０、ＳＤ１５）。
【００６７】
（効果）
このように本実施の形態によれば、複数の住警器１０において警報を行っている場合において、連動元警報を行った住警器１０における異常の検知状態が継続している場合には、当該連動元警報を行った住警器１０以外の住警器１０に対して警報停止スイッチ５１の警報停止操作が行われた場合においても、少なくとも、警報停止操作が行われた住警器１０以外の住警器１０であって自らは異常を検知していない住警器１０における警報を継続するので、警報停止操作が行われた住警器１０以外の住警器１０付近に居る利用者は、連動元警報を行った住警器１０における異常の検知状態が継続していることを把握することができ、連動元警報を行った住警器１０付近の異常に対して早急な対応を採ることができる。
【００６８】
また、複数の住警器１０において警報を行っている場合において、連動元警報を行った住警器１０における異常の検知状態が継続している場合には、当該連動元警報を行った住警器１０以外の住警器１０に対して警報停止スイッチ５１の警報停止操作が行われた場合においても、かつ、当該連動元警報を行った住警器１０が複数ある場合においてその一部のみが復旧した場合においても、少なくとも、当該警報停止スイッチ５１の警報停止操作が行われた住警器１０以外の住警器１０であって自らは異常を検知していない住警器１０における警報を継続するので、警報停止操作が行われず、かつ、復旧していない住警器１０付近に居る利用者は、連動元警報を行った住警器１０における異常の検知状態が継続していることを把握することができ、連動元警報を行った住警器１０付近の異常に対して早急な対応を採ることができる。
【００６９】
また、他の住警器１０から警報信号を受信することにより警報を行っている場合であって、当該住警器１０の警報停止スイッチ５１によって警報停止操作が受け付けられていない場合には、警報を継続するので、警報停止スイッチ５１による警報停止操作が受け付けられるまでは、当該住警器１０付近に居る利用者は、連動元警報を行った住警器１０における異常の検知状態が継続していることを把握することができ、連動元警報を行った住警器１０付近の異常に対して早急な対応を採ることができる。
【００７０】
また、連動元警報処理部７１ａが、当該住警器１０において異常を検知することにより警報を行っている場合において、復旧判定部７２にて復旧を行うものと判定された場合には、復旧信号を他の住警器１０に送信し、警報停止スイッチ５１にて警報停止操作が受け付けられた場合には、停止信号を他の住警器１０に送信するので、当該住警器１０における異常を検知していないことを把握することができ、当該住警器１０付近の安全性を確保することができる。また、連動先警報処理部７１ｂが、当該住警器１０において異常を検知していない場合であって他の住警器１０から警報信号を受信することにより警報を行っている場合において、当該警報信号を当該住警器１０に送信した他の住警器１０の一部のみから復旧信号又は停止信号を受信した場合には、当該住警器１０の警報を継続するので、当該警報信号を当該住警器１０に送信した他の住警器１０の一部のみから復旧信号又は停止信号を受信した後も、当該住警器１０付近に居る利用者は、当該他の住警器１０の一部以外の住警器１０における異常の検知状態が継続していることを把握することができ、当該他の住警器１０の一部以外の住警器１０付近の異常に対して早急な対応を採ることができる。また、連動先警報処理部７１ｂが、当該警報信号を当該住警器１０に送信した他の住警器１０の全部から復旧信号又は停止信号を受信した場合には、当該住警器１０の警報を停止するので、当該住警器１０付近に居る利用者は、すべての住警器１０が異常を検知していないことを把握することができ、高い安全性を確保することができる。
【００７１】
〔本実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７３】
（分散や統合について）
また、上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成できる。例えば、図１に示す警報システム１において、住警器１０Ａ，１０Ｃは、連動元警報処理及び連動先警報処理を行うが、住警器１０Ｂは、連動先警報処理のみを行うようにしてもよい。この場合には、住警器１０Ｂは、本実施の形態で説明した制御部７０や記憶部８０等の全部又は一部を備えて構成せず、あるいはこれら全部又は一部の動作を停止させてもよい。
【００７４】
（住警器１０Ａの連動元警報処理について）
本実施の形態では、連動元警報処理を行っている住警器１０Ａにおいては、図４に示すＳＡ５の処理にて、スピーカ４１によって連動元警報のみが出力されると説明したが、これに限られない。例えば、住警器１０Ａにおいては、ＳＡ４の処理にて、住警器１０Ｃから警報信号を受信しているので、ＳＡ５の処理にて、スピーカ４１によって連動元警報及び連動先警報を交互に繰り返し出力してもよい。この場合には、図５に示すＳＤ３とＳＤ４との処理の間に、ＳＤ９及びＳＤ１０の処理を追加してもよい。
【符号の説明】
【００７５】
１  警報システム
２  住宅
１０、１０Ａ、１０Ｂ、１０Ｃ  住警器
１１  住警器本体
１２  カバー
１２ａ  検知空間
１２ｂ  音響穴
１３  取付フック
２０  センサ部
２１  検煙部
３０  無線回路部
３１  送信部
３２  受信部
３３  アンテナ
４０  報知部
４１  スピーカ
４２  ＬＥＤ
５０  操作部
５１  警報停止スイッチ
６０  電池電源
７０  制御部
７１  連動警報処理部
７１ａ  連動元警報処理部
７１ｂ  連動先警報処理部
７２  復旧判定部
７３  警報停止処理部
８０  記憶部
８１  メモリ
８１ａ  送信元符号
８１ｂ  状態記憶領域
【図１】
2011059894.tif 000003
【図２】
2011059894.tif 000004
【図３】
2011059894.tif 000005
【図４】
2011059894.tif 000006
【図５】
2011059894.tif 000007